(57)【要約】【課題】  ウェブページを印刷した印刷物を画像形成装置で読み取るときに、最新のウェブページを取得可能とする。又、ユーザ認証が必要な場合やユーザカスタマイズされたウェブページの取得であっても目的とするウェブページの取得を可能とする。【解決手段】  ウェブページを印刷するときに、該ウェブページのＵＲＬ情報および該ウェブページを生成したサーバから取得したクッキー情報を同時に印刷し、該印刷物を読み取るときに該クッキー情報を利用して最新のウェブページを取得する構成とする。【選択図】  図１
2006215710.tif 000002
【特許請求の範囲】
【請求項１】
ウェブブラウザ機能を有する画像形成装置であって、ウェブページを印刷するときに、該印刷するウェブページのＵＲＬ（Ｕｎｉｆｏｒｍ  Ｒｅｓｏｕｒｃｅ  Ｌｏｃａｔｏｒ）情報および該ＵＲＬ情報に含まれるサーバより取得したクッキー情報を２次元バーコードに変換する２次元バーコード変換手段と、該印刷するウェブページおよび該変換された２次元バーコードを印刷するウェブページ印刷手段と、該印刷されたウェブページを読み取るときに、該読み取った画像から該２次元バーコードを識別する２次元バーコード識別手段と、該２次元バーコードに含まれるクッキー情報を所定の位置に保存するクッキー情報保存手段と、該２次元バーコードに含まれるＵＲＬ情報に含まれるサーバからウェブページを取得するウェブページ取得手段と、該保存したクッキー情報を消去するクッキー情報消去手段と、を有することを特徴とする画像形成装置。
【請求項２】
上記２次元バーコード変換手段は、さらにウェブページのヘッダ情報に含まれる最終更新日時を２次元バーコードに変換する手段を含み、また上記ウェブページ取得手段は、ＵＲＬ情報に含まれるサーバから該ＵＲＬ情報が示すウェブページのヘッダ情報を取得するヘッダ情報取得手段と、該ヘッダ情報に含まれる最終更新日時情報と該２次元バーコードに含まれる最終更新日時情報を比較する更新日比較手段と、比較した結果、該取得したヘッダ情報に含まれる最終更新日時の方が該２次元バーコードに含まれる最終更新日時より新しい場合は該ＵＲＬ情報に含まれるサーバからウェブページを取得することを特徴とする請求項１に記載の画像形成装置。
【請求項３】
上記２次元バーコード変換手段は、さらに画像形成装置に内蔵する時計機能より取得した現在の日付情報を２次元バーコードに変換する手段を含み、また上記ウェブページ取得手段は、ＵＲＬ情報に含まれるサーバから該ＵＲＬ情報が示すウェブページのヘッダ情報を取得するヘッダ情報取得手段と、該ヘッダ情報に含まれる最終更新日情報と該２次元バーコードに含まれる日付情報を比較する日付比較手段と、比較した結果、該最終更新日の方が該２次元バーコードに含まれる日付より新しい場合は該ＵＲＬ情報に含まれるサーバからウェブページを取得することを特徴とする請求項１に記載の画像形成装置。
【発明の詳細な説明】
【技術分野】
【０００１】
本発明は、ウェブページを印刷するときに、該ウェブページのＵＲＬ情報および該ウェブページを生成したサーバから取得したクッキー情報を同時に印刷し、該印刷物を読み取るときに該クッキー情報を利用して最新のウェブページを取得する画像形成装置に関するものである。
【背景技術】
【０００２】
近年、画像形成装置にＷＷＷ（Ｗｏｒｌｄ  Ｗｉｄｅ  Ｗｅｂ）サーバのウェブコンテンツを表示するウェブブラウザを搭載されるようになってきた。（例えば、特許文献１参照）。これらの画像形成装置では、ウェブページを印刷した印刷物を読み取って印刷したりウェブブラウザで表示したりする場合、読み取ったページをそのまま印刷したりウェブブラウザで表示していた。
【特許文献１】特開２００３−１２２２７９号公報
【発明の開示】
【発明が解決しようとする課題】
【０００３】
しかしながら、ウェブページを印刷した印刷物を一定時間経過後に画像形成装置で読み取った場合、印刷したウェブページは更新されている可能性がある。この場合、最新の情報を取得する手段がない。また、印刷を行うときにそのウェブページのＵＲＬ情報も同時に印刷しておき、読み取り時にＵＲＬ情報を判別し、サーバから最新のウェブページを取得する技術がある。しかしながら、ウェブページを取得するためにユーザ認証が必要な場合には最新のウェブページを自動で取得できないという問題点がある。さらに、ウェブページがユーザカスタマイズされたページであった場合、ＵＲＬ情報のみではそれを判断できずに目的のページを取得できないという問題点もある。
【課題を解決するための手段】
【０００４】
上述した課題を解決するために、本発明のウェブブラウザ機能を有する画像形成装置は、ウェブページを印刷するときに、該印刷するウェブページのＵＲＬ（Ｕｎｉｆｏｒｍ  Ｒｅｓｏｕｒｃｅ  Ｌｏｃａｔｏｒ）情報および該ＵＲＬ情報に含まれるサーバより取得したクッキー情報を２次元バーコードに変換する２次元バーコード変換手段と、該印刷するウェブページおよび該変換された２次元バーコードを印刷するウェブページ印刷手段と、該印刷されたウェブページを読み取るときに、該読み取った画像から該２次元バーコードを識別する２次元バーコード識別手段と、該２次元バーコードに含まれるクッキー情報を所定の位置に保存するクッキー情報保存手段と、該２次元バーコードに含まれるＵＲＬ情報に含まれるサーバからウェブページを取得するウェブページ取得手段と、該保存したクッキー情報を消去するクッキー情報消去手段と、を有することを特徴とする。
【０００５】
上述した課題を解決するために、本発明のウェブブラウザ機能を有する画像形成装置は、印刷するウェブページのＵＲＬ情報および該ＵＲＬ情報に含まれるサーバより取得したクッキー情報を２次元バーコードに変換する場合に、さらにウェブページのヘッダ情報に含まれる最終更新日時を２次元バーコードに変換する手段を含み、また上記ウェブページ取得手段は、ＵＲＬ情報に含まれるサーバから該ＵＲＬ情報が示すウェブページのヘッダ情報を取得するヘッダ情報取得手段と、該ヘッダ情報に含まれる最終更新日時情報と該２次元バーコードに含まれる最終更新日時情報を比較する更新日比較手段と、比較した結果、該取得したヘッダ情報に含まれる最終更新日時の方が該２次元バーコードに含まれる最終更新日時より新しい場合は該ＵＲＬ情報に含まれるサーバからウェブページを取得することを特徴とする。
【０００６】
上述した課題を解決するために、本発明のウェブブラウザ機能を有する画像形成装置は、印刷するウェブページのＵＲＬ情報および該ＵＲＬ情報に含まれるサーバより取得したクッキー情報を２次元バーコードに変換する場合に、さらに画像形成装置に内蔵する時計機能より取得した現在の日付情報を２次元バーコードに変換する手段を含み、また上記ウェブページ取得手段は、ＵＲＬ情報に含まれるサーバから該ＵＲＬ情報が示すウェブページのヘッダ情報を取得するヘッダ情報取得手段と、該ヘッダ情報に含まれる最終更新日情報と該２次元バーコードに含まれる日付情報を比較する日付比較手段と、比較した結果、該最終更新日の方が該２次元バーコードに含まれる日付より新しい場合は該ＵＲＬ情報に含まれるサーバからウェブページを取得することを特徴とする。
【発明の効果】
【０００７】
本発明のウェブブラウザ機能を有する画像形成装置は、ウェブページを印刷するときに、該印刷するウェブページのＵＲＬ（Ｕｎｉｆｏｒｍ  Ｒｅｓｏｕｒｃｅ  Ｌｏｃａｔｏｒ）情報および該ＵＲＬ情報に含まれるサーバより取得したクッキー情報を２次元バーコードに変換する２次元バーコード変換手段と、該印刷するウェブページおよび該変換された２次元バーコードを印刷するウェブページ印刷手段と、該印刷されたウェブページを読み取るときに、該読み取った画像から該２次元バーコードを識別する２次元バーコード識別手段と、該２次元バーコードに含まれるクッキー情報を所定の位置に保存するクッキー情報保存手段と、該２次元バーコードに含まれるＵＲＬ情報に含まれるサーバからウェブページを取得するウェブページ取得手段と、該保存したクッキー情報を消去するクッキー情報消去手段と、を有することを特徴とするために、ウェブページを印刷した印刷物を画像形成装置で読み取るときに、最新のウェブページを取得することが可能となり、かつユーザ認証が必要な場合やユーザカスタマイズされたウェブページの取得であっても目的とするウェブページの取得が可能となる。
【０００８】
本発明のウェブブラウザ機能を有する画像形成装置は、印刷するウェブページのＵＲＬ情報および該ＵＲＬ情報に含まれるサーバより取得したクッキー情報を２次元バーコードに変換する場合に、さらにウェブページのヘッダ情報に含まれる最終更新日時を２次元バーコードに変換する手段を含み、また上記ウェブページ取得手段は、ＵＲＬ情報に含まれるサーバから該ＵＲＬ情報が示すウェブページのヘッダ情報を取得するヘッダ情報取得手段と、該ヘッダ情報に含まれる最終更新日時情報と該２次元バーコードに含まれる最終更新日時情報を比較する更新日比較手段と、比較した結果、該取得したヘッダ情報に含まれる最終更新日時の方が該２次元バーコードに含まれる最終更新日時より新しい場合は該ＵＲＬ情報に含まれるサーバからウェブページを取得することを特徴とするために、ウェブページが更新されていないときにはウェブページをサーバから新たに受信せずに読み取った画像をそのまま出力することができ、処理時間を短縮することが可能となる。
【０００９】
本発明のウェブブラウザ機能を有する画像形成装置は、印刷するウェブページのＵＲＬ情報および該ＵＲＬ情報に含まれるサーバより取得したクッキー情報を２次元バーコードに変換する場合に、さらに画像形成装置に内蔵する時計機能より取得した現在の日付情報を２次元バーコードに変換する手段を含み、また上記ウェブページ取得手段は、ＵＲＬ情報に含まれるサーバから該ＵＲＬ情報が示すウェブページのヘッダ情報を取得するヘッダ情報取得手段と、該ヘッダ情報に含まれる最終更新日情報と該２次元バーコードに含まれる日付情報を比較する日付比較手段と、比較した結果、該最終更新日の方が該２次元バーコードに含まれる日付より新しい場合は該ＵＲＬ情報に含まれるサーバからウェブページを取得することを特徴とするために、ウェブページが更新されていないときにはウェブページをサーバから新たに受信せずに読み取った画像をそのまま出力することができ、処理時間を短縮することが可能となる。
【発明を実施するための最良の形態】
【００１０】
以下、本発明にかかる一実施形態について、図面を参照して詳細に説明する。
【００１１】
図１は本発明の実施の一形態に係る画像形成装置を収容するネットワークの構成を模式的に示す図である。本実施の形態では、画像形成装置としてデータ送信機能を有する複写機を説明する。
【００１２】
複写機１００１は、図１に示すように、複写機１００１と同等の機能を持つ複写機１００２、ファクシミリ装置１００３、データベース／メールサーバ１００４、クライアントコンピュータ１００５とともに、イーサネット（登録商標）などからなるＬＡＮ１００６に収容されている。また、ファクシミリ１００７とともに公衆回線１００８に収容されている。複写機１００１は、コピー機能、ファクシミリ機能を有するとともに、原稿画像を読み取り、該読み取った画像データをＬＡＮ１００６上の各装置に送信するデータ送信機能を有する。また、ＰＤＬ機能を有するので、ＬＡＮ１００６上に接続されているコンピュータから指示されたＰＤＬ画像を受信して印刷することが可能である。複写機１００１は、複写機１００１で読み取った画像や、ＬＡＮ１００６上に接続されているコンピュータから指示されたＰＤＬ画像を、ハードディスク２００４の指定したボックス領域に保存することが可能であり、ボックス領域に保存された画像を印刷することが可能になっている。
【００１３】
複写機１００１は、ＬＡＮ１００６を介して複写機１００２が読み取ったデータを受信し、受信したデータを複写機１００１内のハードディスク２００４に保存／印刷出力することが可能である。また、クライアントコンピュータ１００５とＬＡＮ１００６を介してデータベースサーバ１００４の画像を受信し、複写機１００１内に保存／印刷出力することが可能である。
【００１４】
ファクシミリ１００３は、ＬＡＮ１００６を介して複写機１００１が読み取ったデータを受信し、該受信したデータを送信することが可能である。
【００１５】
データベース／メールサーバ１００４は、ＬＡＮ１００６を介して複写機１００１が読み取ったデータを受信し、データベースに格納し、電子メールとして送信する機能を有するサーバ装置である。
【００１６】
クライアントコンピュータ１００５は、データベース／メールサーバ１００４に接続され、データベース／メールサーバ１００４から所望のデータ取得して表示することが可能であるとともに、ＬＡＮ１００６を介して複写機１００１が読み取ったデータを受信し、受信したデータを加工、編集することが可能である。
【００１７】
ファクシミリ１００７は、公衆回線１００８を介して複写機１００１が読み取ったデータを受信し、受信したデータを印刷出力することが可能である。
【００１８】
図２は、本実施例の主要部構成を示すブロック図である。
【００１９】
コントローラユニット２０００は、画像入力デバイスであるスキャナ２０７０や画像出力デバイスであるプリンタ２０９５を接続し、スキャナ２０７０で読み取られた画像データをプリンタ２０９５により印刷出力するコピー機能を実現するための制御を行うとともに、ＬＡＮ１００６や公衆回線１００７（ＷＡＮに接続することによって、画像情報やデバイス情報の入出力を行うための制御を行う。
【００２０】
コントローラユニット２０００は、具体的には、ＣＰＵ２００１を有し、ＣＰＵ２００１は、ＲＯＭ２００３に格納されているブートプログラムによりオペレーションシステム（ＯＳ）を立ち上げ、このＯＳ上でＨＤＤ（ハードディスクドライブ）２００４に格納されているアプリケーションプログラムを実行することによって各種処理を実行する。このＣＰＵ２００１の作業領域としてはＲＡＭ２００２が用いられる。ＲＡＭ２００２は、作業領域とともに、画像データを一時記憶するための画像メモリ領域を提供する。ＨＤＤ２００４は、上記アプリケーションプログラムとともに、画像データを格納する。
【００２１】
ＣＰＵ２００１には、システムバス２００７を介して、ＲＯＭ２００３およびＲＡＭ２００２とともに、操作部Ｉ／Ｆ（操作部インタフェース）２００６、ネットワークＩ／Ｆ（ネットワークインタフェース）２０１０、モデム２０５０およびイメージバスＩ／Ｆ（イメージインタフェース）２００５が接続されている。
【００２２】
操作部Ｉ／Ｆ２００６は、タッチパネルを有する操作部２０１２とのインターフェースであり、操作部２０１２に表示する画像データを操作部２０１２に対して出力する。また、操作部Ｉ／Ｆ２００６は、操作部２０１２においてユーザにより入力された情報をＣＰＵ２００１に送出する。
【００２３】
次に、ネットワークＩ／Ｆ２０１０は、ＬＡＮ１００６に接続され、ＬＡＮ１００６を介してＬＡＮ１００６上の各装置との間で情報の入出力を行う。モデム２０５０は、公衆回線１００７に接続され、公衆回線１００７を介して情報の入出力を行う。
【００２４】
イメージバスＩ／Ｆ２００５は、システムバス２００７と画像データを高速で転送する画像バス２００８を接続し、データ構造を変換するためのバスブリッジである。画像バス２００８は、ＰＣＩバスまたはＩＥＥＥ１３９４から構成される。画像バス２００８上には、ラスタイメージプロセッサ（以下、ＲＩＰという）２０６０、デバイスＩ／Ｆ２０２０、スキャナ画像処理部２０８０、プリンタ画像処理部２０９０、画像回転部２０３０、サムネイル作成部２０３５および画像圧縮部２０４０が設けられている。ＲＩＰ２０６０は、ＰＤＬコードをビットマップイメージに展開するプロセッサである。デバイスＩ／Ｆ２０２０には、スキャナ２０７０およびプリンタ２０９５が接続され、デバイスＩ／Ｆ２０２０は、画像データの同期系／非同期系の変換を行う。スキャナ画像処理部２０８０は、入力画像データに対し補正、加工、編集を行う。プリンタ画像処理部２０９０は、プリント出力画像データに対してプリンタの補正、解像度変換などを行う。画像回転部２０３０は、画像データの回転を行う。画像圧縮部２０４０は、多値画像データをＪＰＥＧデータに、２値画像データをＪＢＩＧ、ＭＭＲ、ＭＨなどのデータに圧縮するとともに、その伸張処理を行う。
【００２５】
図３は図１、図２に記載の複写機１００１のリーダ部２０７０およびプリンタ部２０９５のハードウェア構成を模式的に示す図である。
【００２６】
リーダ部２０７０とプリンタ部２０９５とは、図３に示すように、一体的に構成されている。リーダ部２０７０は、原稿給紙ユニット２５０を搭載し、原稿給紙ユニット２５０は、原稿を先頭から順に１枚ずつプラテンガラス２１１上へ給送。各原稿の読取動作が終了する毎にその原稿をプラテンガラス２１１から排出トレイ（図示せず）に排出する。リーダ部２０７０は、原稿がプラテンガラス２１１上に給送されると、ランプ２１２を点灯し、移動ユニット２１３の移動を開始する。この移動ユニット２１３の移動によりプラテンガラス２１１上の原稿に対する読取走査が行われる。この読取走査中、原稿からの反射光は、各ミラー２１４，２１５，２１６およびレンズ２１７を経てＣＣＤイメージセンサ（以下、ＣＣＤという）２１８に導かれ、原稿上の画像がＣＣＤ２１８の撮像面上に結像される。ＣＣＤ２１８は、撮像面に結像された画像を電気信号に変換し、この電気信号は所定の処理施された後に制御装置１１０に入力される。
【００２７】
プリンタ部２０９５は、レーザドライバ３２１を有し、レーザドライバ３２１は、制御装置１１０から入力された画像データに基づきレーザ発光部３２２を駆動する。これにより、レーザ発光部３２２からは画像データに応じたレーザ光が発光され、このレーザ光は走査されながら感光ドラム３２３上に照射される。感光ドラム３２３上には、照射されたレーザ光により静電潜像が形成され、この静電潜像は現像器３２４から供給されたトナーによりトナー像として可視像化される。レーザ光の照射タイミングに同期して、各カセット３１１，３１２から記録紙が搬送路を介して感光ドラム３２３と転写部３２５との間に給紙され、感光ドラム３２３上のトナー像は転写部３２５により給紙された記録紙上に転写される。
【００２８】
トナー像が転写された記録紙は搬送ベルトを介して定着ローラ対（加熱ローラと加圧ローラ）３２６に送られ、定着ローラ対３２６は、記録紙を熱圧し、記録紙上のトナー像を記録紙上に定着させる。この定着ローラ対３２６を通過した記録紙は、排紙ローラ対３２７により排紙ユニット３３０に排紙される。排紙ユニット３３０は、ソート、ステイプルなどの後処理を施すことが可能なシート処理装置からなる。また、両面記録モードが設定されている場合には、記録紙を排紙ローラ対３２７まで搬送した後に、排紙ローラ対３２７の回転方向を逆転させ、フラッパ３２８によって再給紙搬送路３３９へ導く。再給紙搬送路３３９に導かれた記録紙は、上述したタイミングで感光ドラム３２３と転写部３２５との間に再給紙され、この記録紙の裏面にトナー像が転写される。
【００２９】
次に、操作部２０１２の構成を図４に示す。ＬＣＤ表示部２０１３は、ＬＣＤ上にタッチパネルシートが貼られており、システムの操作画面を表示するとともに、表示してあるキーが押されるとその位置情報をコントローラＣＰＵ２００１に伝える。スタートキー２０１４は原稿画像の読み取り動作を開始する時などに用いる。スタートキー２０１４中央部には、緑と赤の２色ＬＥＤ２０１８があり、その色によってスタートキー２０１４が使える状態にあるかどうかを示す。ストップキー２０１５は稼働中の動作を止める働きをする。ＩＤキー２０１６は、使用者のユーザＩＤを入力する時に用いる。リセットキー２０１７は操作部からの設定を初期化する時に用いる。
【００３０】
図５は、操作部２０１２上に表示する操作画面の例である。
【００３１】
操作部上部には、コピー９０１、送信／ＦＡＸ９０２、ボックス９０３、ブラウザ９０４のように複数の機能毎にタブ表示されたタッチキーが表示されている。コントローラユニット２０００のＲＯＭ２００３にはＷｅｂブラウザ表示のためのプログラムが組み込まれおり、操作部２０１２上からの指示により、Ｗｅｂブラウザ表示をすることが可能になっている。
【００３２】
５つ以上の機能がコントローラ２０００に装備されている場合は、コピー、送信／ＦＡＸ、ボックス、ブラウザの４つ機能タブの右横に右矢印キー９０５が表示される。
【００３３】
図５はコピー９０１のタッチキーが押下されたときのコピー機能の初期画面を表している。コピー機能に関する表示は９０６で囲った部分であり、図の上から、「コピーできます」の表示している領域には、コピー機能で表示するステータスを表示し、その下には、倍率、選択給紙段、置数を表示する領域がある。また、コピー機能の動作モードを設定するためのタッチキーとして、等倍、倍率、用紙選択、ソータ、両面、割込み、文字、濃度調整用として薄くするに対応する左矢印キー、濃くするに対応する右矢印キー、濃度を自動調整する自動キーが表示され、初期画面に表示しきれない動作モードの指定は応用モードキーを押下することで階層的に領域９０６内に設定画面が表示されるようになっている。
【００３４】
９０７の表示領域は、複写機９０１のステータスを表示する領域であり、例えば、ジャムなどのアラームメッセージや、ＰＤＬプリントが行われているときにＰＤＬプリント中であることを示すステータスメッセージを表示する領域である。
【００３５】
システム状況／中止９０８タッチキーを押下すると、複写機９０１のデバイス情報を表示する画面や、プリントジョブ状況を表示する画面を表示し（図示せず）、この画面ではジョブの中止を行うことが可能になっている。
【００３６】
送信／ＦＡＸ９０２キーを押下すると、複写機９０１で読み取った画像をＬＡＮ９０６上の機器にＥ−ｍａｉｌ送信、ＦＴＰ送信する、またはＦＡＸにより公衆回線１００７を使って送信するための設定画面を表示する（図示せず）。
【００３７】
ボックス９０３キーを押下すると、複写機９０１上で読み取った画像をハードディスク２００４内のボックス領域に保存したり、ボックス領域に保存されている画像データを指定して印刷したり、ＬＡＮ１００６上の機器に送信するための設定画面を表示する（図示せず）。
【００３８】
ブラウザ９０４キーを押下すると、図９ブラウザ起動画面が開く。
【００３９】
ＵＲＬ入力部９１１はＵＲＬを指定してページを開くときにこのフィールドを押下する。押下することで、ソフトキーボードが表示され、ユーザがＵＲＬを指定できるよう管理者の権限で設定を行うこともできる。
【００４０】
お気に入りキー９１２は、ＵＲＬを登録、整理、表示を行うことができる。（図１３：お気に入りメニュー）
９１３の表示領域はコンテンツの表示領域である。
【００４１】
戻るキー９１４はページを１つ前に戻すキーである。進むキー９１５はページを１つ進めるキーである。
【００４２】
更新キー９１６は現在表示しているページを再度ロードして表示するキーである。中止キー９１７はページの読み込みを中止するキーである。ホームキー９１８は設定されているホームページに移動するキーである。
【００４３】
印刷キー９１９は現在表示しているページを印刷するキーである。このボタンを押下すると、図示しない印刷設定ダイアログが表示され、印刷設定ダイアログには、フレームをどのように印刷するかの設定、印刷に関する設定（部数、両面、ソートなど）の画面が表示され、この画面内の印刷スタートボタンを押下することで印刷を開始する。
【００４４】
メニューキー９２０は画面の表示倍率の変更、文字サイズの変更、文字コードの変更などの画面を表示するキーである。
【００４５】
Ｗｅｂブラウザの動作を、図６のフロー図を使用し説明する。
【００４６】
まず、Ｗｅｂブラウザの起動指示があるかどうか判定する。（図６：Ｓｔｅｐ６００１→Ｓｔｅｐ６００２）
Ｗｅｂブラウザ起動指示である場合、Ｗｅｂブラウザの起動を行う。（図６：Ｓｔｅｐ６００３）そして、Ｗｅｂブラウザ起動時に接続するＵＲＬ（ホーム）に接続を行う。（図６：Ｓｔｅｐ６００４）
接続が出来なかった場合、エラーメッセージを表示する。（図６：Ｓｔｅｐ６００５→Ｓｔｅｐ６００６）
図６：Ｓｔｅｐ６００５にて接続が出来た場合、取得したデータがＷｅｂコンテンツデータか否か判断を行う。（図６：Ｓｔｅｐ６００７）Ｗｅｂコンテンツデータではないと判断されると、複写機内で展開が可能なデータかどうか判断を行う。（図６：Ｓｔｅｐ６００８）展開可能なデータでない場合、エラーメッセージの表示を行う。（図６：Ｓｔｅｐ６００８→Ｓｔｅｐ６００６）
展開可能なデータであった場合、印刷を行うか印刷プレビューを行うかどちらの指示か判断を行う。（図６：Ｓｔｅｐ６００９）印刷プレビューの場合、印刷プレビュー表示を行ない、次の指示をまつ。（図６：Ｓｔｅｐ６００９→Ｓｔｅｐ６０１０）次の指示が印刷であった場合（図６：Ｓｔｅｐ６０１１→Ｓｔｅｐ６０１２）印刷を開始する。
【００４７】
次に図６：Ｓｔｅｐ６００７にて取得したデータがＷｅｂコンテンツデータであった場合について説明する。ブラウザは取得したデータをコンテンツ表示領域に表示を行う。（図６：Ｓｔｅｐ６０１４）次の指示が印刷、または印刷プレビュー指示の場合は、印刷指示か印刷プレビューかの判断を行う。（図６：Ｓｔｅｐ６００９）
図６：Ｓｔｅｐ６００６／Ｓｔｅｐ６０１１において印刷指示ではなかった場合、／Ｓｔｅｐ６０１３において印刷が完了した場合、そしてＳｔｅｐ６０１５で印刷または印刷プレビューの指示ではなかった場合に、次のＵＲＬ指示がされたかどうか判断を行う。（図６：Ｓｔｅｐ６０１６）
次のＵＲＬ指示があった場合は、ホームの場合と同様に、次のＵＲＬに対して接続可能かどうか判断を行う。（図６：Ｓｔｅｐ６０１６→Ｓｔｅｐ６０１７→Ｓｔｅｐ６００５）
次のＵＲＬ指示がなかった場合は、終了指示か否か判断を行う。（図６：Ｓｔｅｐ６０１８）  終了指示であった場合は、ここでブラウザを終了する。（図６：Ｓｔｅｐ６０１９）
【実施例１】
【００４８】
前記構成を持つ画像形成装置において、本発明による実施例を図７、図８のフローチャートを用いて説明する。
【００４９】
図７はウェブブラウザで表示中のウェブページを印刷する場合のフローチャートである。ｓ７０１では、印刷するウェブページのＵＲＬ情報とクッキー情報とウェブページのヘッダ情報に含まれる最終更新日時を２次元バーコードに変換する。ＵＲＬ情報は図１０に示すように、スキーム名１００００、サーバ名１０００１、およびパス名１０００２からなる。クッキー情報はウェブサーバが利用者を識別するためにウェブブラウザに送る情報で、図１１に示すようなテキスト情報である。クッキー情報の内容はユーザＩＤ１０１００、サーバ名１０１０１、および有効期限１０１０２等、サーバが自由に設定できる。ブラウザはサーバから送られてきたクッキー情報をＨＤＤ２００４等に保存している。ウェブページのヘッダ情報はＨＴＴＰ（Ｈｙｐｅｒ  Ｔｅｘｔ  Ｔｒａｎｓｆｅｒ  Ｐｒｏｔｏｃｏｌ）のＨＥＡＤコマンドで取得でき、取得したヘッダ情報は図１２に示すような情報である。ここで、最終更新情報は「Ｌａｓｔ−Ｍｏｄｉｆｉｅｄ」で表される「Ｆｒｉ，１１  Ｍａｙ  ２００４  ０６：０３：１０  ＧＭＴ」となる。ｓ７０２では、印刷するウェブページと該変換した２次元バーコードを印刷する。
【００５０】
図８は印刷したウェブページを読み取る場合のフローチャートである。ｓ８０１では、印刷した２次元バーコードを識別する。２次元バーコードは用紙の指定の位置に印刷するようにしておいて、ｓ８０１では該指定の位置周辺を検索するだけでも良い。ｓ８０２では、２次元バーコードに含まれるクッキー情報をＨＤＤ２００４に保存する。ｓ８０３では、ＵＲＬ情報に含まれるサーバからウェブページのヘッダ情報を取得する。この時に該ウェブページにアクセスするためにユーザ認証が必要な場合は、該保存したクッキー情報に保存されたユーザＩＤ、パスワードを使用する。ｓ８０４では、ウェブページが更新されているかを判定する。取得したヘッダ情報に含まれる最終更新日時と２次元バーコードに含まれた最終更新日時を比較し、取得したヘッダ情報に含まれる最終更新日時の方が新しい場合にウェブページが更新されていると判断する。そして、ウェブページが更新されていると判断した場合はｓ８０５に進み、ウェブページが更新されていないと判断した場合はｓ８０６に進む。ｓ８０５では、ＵＲＬ情報に含まれるサーバからウェブページを取得する。この時に該ウェブページにアクセスするためにユーザ認証が必要な場合は、該保存したクッキー情報に保存されたユーザＩＤ、パスワードを使用する。そのため、ユーザ認証が必要な場合やユーザカスタマイズされたウェブページの取得であっても目的とするウェブページの取得が可能となる。また、ユーザ認証に失敗した場合は新たに操作部からの認証情報入力を促しても良いし、ウェブページの取得を中止しても良い。ウェブページの取得を中止した場合でも、読み取ったページの出力は可能である。ｓ８０６では、ＨＤＤ２００４に保存したクッキー情報を消去する。そのため、個人情報を含む可能性のあるクッキー情報を使用できるユーザを限定することが可能となる。
【図面の簡単な説明】
【００５１】
【図１】ネットワーク構成図。
【図２】主要構成を示すブロック図。
【図３】ハードウェア構成図。
【図４】操作部外観。
【図５】操作画面例（標準画面）。
【図６】Ｗｅｂブラウザ操作フロー。
【図７】ウェブページを印刷するフローチャート。
【図８】印刷したウェブページを読み取るフローチャート。
【図９】ブラウザ起動画面。
【図１０】ＵＲＬ情報。
【図１１】クッキー情報。
【図１２】ヘッダ情報。
【図１３】お気に入りメニュー画面。
【図１】
2006215710.tif 000003
【図２】
2006215710.tif 000004
【図３】
2006215710.tif 000005
【図４】
2006215710.tif 000006
【図５】
2006215710.tif 000007
【図６】
2006215710.tif 000008
【図７】
2006215710.tif 000009
【図８】
2006215710.tif 000010
【図９】
2006215710.tif 000011
【図１０】
2006215710.tif 000012
【図１１】
2006215710.tif 000013
【図１２】
2006215710.tif 000014
【図１３】
2006215710.tif 000015